(57)【要約】【課題】ウインドガラスの下辺をチャンネルで支持する構造においても確実に排水することのできるウインドガラスの支持構造を提供する。【解決手段】ウインドガラス１１の下辺１１ａを支持しているフィラー３０またはガラスチャンネル４０に沿って、ウインドガラス１１の長手方向に連続して設けられている樋部３１、４４が雨水や結露等の水分を導く。これにより、水分は樋部３１、４４の端部または切欠から滴下することになり、ガラスチャンネル４０に溜まることなく確実に排水することができる。特に、樋部３１、４４は長手方向で水平に対して傾斜するように設けるのが好ましく、雨水や結露等の水分は樋部３１、４４の傾斜に沿って流れて所定の位置から排水される。なお、樋部３１、４４は、フィラー３０に設けることもできるし、ガラスチャンネル４０に設けることもできる。【選択図】        図１
2004324350.tif 000002
【特許請求の範囲】
【請求項１】
剛体からなるチャンネルと、前記チャンネルの内側に弾性体からなるフィラーとを有し、自動車の窓開口を開閉するウインドガラスの下辺を厚み方向に覆うとともに前記下辺に沿って連続して支持するガラスチャンネルを備え、
前記ウインドガラスに樋部が設けられているとともに、前記樋部が前記ガラスチャンネルにおける長手方向に沿って連続していることを特徴とするウインドガラスの支持構造。
【請求項２】
前記樋部が水平に対して傾斜していることを特徴とする請求項１に記載したウインドガラスの支持構造。
【請求項３】
前記樋部が前記フィラーに設けられていることを特徴とする請求項１および請求項２のうちのいずれかに記載したウインドガラスの支持構造。
【請求項４】
前記樋部が前記チャンネルに設けられていることを特徴とする請求項１および請求項２のうちのいずれかに記載したウインドガラスの支持構造。
【発明の詳細な説明】
【０００１】
【発明の属する技術分野】
この発明は、自動車の窓開口を開閉するウインドガラスの支持構造に関するものである。
【０００２】
【従来の技術】
従来より、ウインドガラスの支持構造として公開されているものがある（例えば特許文献１参照）。
【０００３】
すなわち、図７に示すように、このウインドガラスの支持構造１００では、ウインドガラス１０１の取付部１０２に、レギュレータ１１０のキャリアプレート１１１が取り付けられている。このキャリアプレート１１１にはガラスホルダ１１２が前後一対設けられており、このガラスホルダ１１２によりウインドガラス１０１をキャリアプレート１１１に固定している。
なお、ウインドガラス１０１の下部およびガラスホルダ１１２は、ドア開口の下辺に相当するベルトラインＢＬよりも下方に設けられており、常にドア内部に隠れている。
【０００４】
キャリアプレート１１１はドア内部に固定されているガイドレール１１３に沿って昇降可能となっている。ガイドレール１１３の全長に沿ってワイヤ１１４が設けられており、モータ１１５の駆動によりワイヤ１１４を正逆方向に回転走行させて、ウインドガラス１０１を昇降させ窓開口を開閉する。
【０００５】
【特許文献１】
特開平８−２５８５６４号公報（第２、３頁、第１、６図）
【０００６】
【発明が解決しようとする課題】
ところで、ウインドガラス１０１は、下辺に切欠等を設けて、形状を工夫することにより、ウインドガラス１０１の車外側に付着した雨水や、車内側に付着した結露等の水分が流れ込んで滴下する位置をコントロールして、例えばドアロック等の水に弱い部品に水分が滴下しないようにしていた。
このため、ウインドガラス１０１の下辺を長いチャンネル部材により前後方向の全幅にわたって支持する構造においては、ウインドガラス１０１の下辺が直線形状となるため、雨水や結露等の水分を滴下させる位置をウインドガラス１０１の形状によってコントロールすることができず、チャンネル部材の上に溜まった水分は様々な位置から滴下してしまい、水に弱い部分等にかかってしまうという問題がある。
【０００７】
本発明は、前述した問題点に鑑みてなされたものであり、その目的は、ウインドガラスの下辺をチャンネルで支持する構造においても確実に水分が滴下する位置をコントロールして排水することのできるウインドガラスの支持構造を提供することにある。
【０００８】
【課題を解決するための手段】
前述した目的を達成するために、本発明にかかるウインドガラスの支持構造は、請求項１に記載したように、剛体からなるチャンネルと、前記チャンネルの内側に弾性体からなるフィラーとを有し、自動車の窓開口を開閉するウインドガラスの下辺を厚み方向に覆うとともに前記下辺に沿って連続して支持するガラスチャンネルを備え、前記ウインドガラスに樋部が設けられているとともに、前記樋部が前記ガラスチャンネルにおける長手方向に沿って連続していることを特徴としている。
【０００９】
このように構成されたウインドガラスの支持構造においては、ウインドガラスの下辺を支持しているガラスチャンネルに沿って、長手方向に連続して設けられている樋部が雨水や結露等の水分を導く。
これにより、水分は樋部の端部から滴下することになり、ガラスチャンネルに溜まることなく確実に水分が滴下する位置をコントロールして排水することができる。
なお、ウインドガラスに樋部を設けるとは、ウインドガラスに取り付けられるフィラーやチャンネルに樋部を設けることのみならず、ウインドガラスに直接樋部を単体で取り付けることも含む。また、樋部の長さを調整すること、または適切な位置に切欠を設けることにより、水分を滴下させる位置を調整することができる。
【００１０】
また、本発明にかかるウインドガラスの支持構造は、請求項２に記載したように、請求項１に記載したウインドガラスの支持構造において、前記樋部が水平に対して傾斜していることを特徴としている。
【００１１】
このように構成されたウインドガラスの支持構造においては、樋部が長手方向で水平に対して前後方向に傾斜しているので、雨水や結露等の水分は傾斜に沿って前後方向に流れて所定の位置から排水される。
【００１２】
また、本発明にかかるウインドガラスの支持構造は、請求項３に記載したように、請求項１および請求項２のうちのいずれかに記載したウインドガラスの支持構造において、前記樋部が前記フィラーに設けられていることを特徴としている。
【００１３】
このように構成されたウインドガラスの支持構造においては、雨水や結露等の水分はウインドガラスに沿って降下し、ウインドガラスの下辺に設けられているフィラーの樋部に流れ込む。このため、水分は樋部に導かれて所定の位置から排水される。
【００１４】
また、本発明にかかるウインドガラスの支持構造は、請求項４に記載したように、請求項１および請求項２のうちのいずれかに記載したウインドガラスの支持構造において、前記樋部が前記チャンネルに設けられていることを特徴としている。
【００１５】
このように構成されたウインドガラスの支持構造においては、雨水や結露等の水分はウインドガラスに沿って降下し、ウインドガラスの下辺を支持しているチャンネルの樋部に流れ込む。このため、水分は樋部に導かれて所定の位置から排水される。
【００１６】
【発明の実施の形態】
以下、本発明に係るウインドガラスの支持構造の第１実施形態を図面に基づいて詳細に説明する。なお、図１は本発明のウインドガラスの支持構造を示す斜視図、図２は図１中ＩＩ−ＩＩ位置における断面図である。
【００１７】
図１および図２に示すように、本発明に係る第１実施形態のウインドガラスの支持構造１０Ａは、自動車の窓開口を開閉するウインドガラス１１の下辺１１ａを厚み方向に覆うとともに、この下辺１１ａに沿って連続して支持するガラスチャンネル４０を備える。
ガラスチャンネル４０は、剛体からなるチャンネル４０ａと、チャンネル４０ａの内側に弾性体からなるフィラー３０とを有する。
このガラスチャンネル４０は中間連結部材１２およびホルダ１３を介してレギュレータ２０のキャリアプレート２１に接続されている。なお、キャリアプレート２１は、レギュレータ２０のガイドレール２２に沿って昇降自在に設けられており、図示省略の駆動機構により昇降するようになっている。
【００１８】
図２に示すように、ガラスチャンネル４０の下面には、板状の中間連結部材１２が、溶接や接着剤、機械結合により固着されている。中間連結部材１２の下端部は、ホルダ１３が溶接、接着剤、機械結合等により固着されており、ホルダ１３はボルト１４ａ・ナット１４ｂによりレギュレータ２０のキャリアプレート２１に着脱自在に取り付けられている。
従って、ボルト１４ａ・ナット１４ｂを外すことにより、ウインドガラス１１は容易に交換可能となっている。
【００１９】
図２に示すように、ガラスチャンネル４０は、金属等の剛体からなるチャンネル４０ａと、ゴム等の弾性体からなるフィラー３０とで構成されている。チャンネル４０ａは断面Ｕ字状をしており、Ｕ字状の中腹に内向きにくぼみを有し、開口部側の端部は外向きに拡がっている。チャンネル４０ａの内側にフィラー３０を備え、ウインドガラス１１にガラスチャンネル４０を嵌め込む際にはチャンネル４０ａの上端部が外側へ開くようになっているので、容易に嵌め込むことが可能となる。
フィラー３０を介しているため、ウインドガラス１１を破損することもない。また、チャンネル４０ａのくぼみによってウインドガラス１１が強固に締め付けられ、ウインドガラス１１からの脱落を防止している。
【００２０】
フィラー３０におけるウインドガラス１１の外側（図２において左側）上端部には、樋部３１が設けられている。この樋部３１は、チャンネル４０ａの上側からウインドガラス１１の外側に突出するとともに、ガラスチャンネル４０に沿って前後方向（図２において紙面直交方向）に連続して長く設けられている。また、樋部３１の基端部３１ａは、チャンネル４０ａの絞り部４１の締め付け力によりウインドガラス１１に密着しており、ウインドガラス１１の外側面１１ｂに沿って流れ落ちてきた水を受け止めるようになっている。
なお、フィラー３０における車内側（図２において右側）には樋部３１を設けていない。また、樋部３１は、長手方向（図１において左右方向）について基端部３１ａが水平に対して傾斜するように設けるのが望ましい。
【００２１】
ウインドガラス１１をレギュレータに取り付ける際には、まず、ウインドガラス１１の下端部をガラスチャンネル４０に嵌め込む。このとき、ウインドガラス１１の下辺部にフィラー３０を内側に備えたチャンネル４０ａを押し込んで固定する。
これにより、ウインドガラス１１はフィラー３０を介してチャンネル４０ａの締め付け力により固定されることになる。
そして、ガラスチャンネル４０と一体的に設けられている中間連結部材１２にホルダ１３を固定し、ホルダ１３を機械式締結手段としてのボルト１４ａ・ナット１４ｂによりキャリアプレート２１に取り付ける。
【００２２】
以上、前述したウインドガラスの支持構造１０Ａによれば、ウインドガラス１１の下辺１１ａを支持しているフィラー３０に沿って、長手方向に連続して樋部３１を設けたので、雨水や結露等の水分は樋部３１により所定位置に導かれる。特に、樋部３１を水平に対して傾斜するように設けることにより、水分は樋部３１の端部から滴下することになり、ガラスチャンネル４０に溜まることなく確実に排水することができる。
なお、樋部３１の長さを調整すること、または適切な位置に切欠３１ｂを設けることによって、水分を滴下させる位置を調整することが可能である。
【００２３】
次に、本発明に係るウインドガラスの支持構造の第２実施形態を図面に基づいて詳細に説明する。図３は本発明のウインドガラスの支持構造を示す斜視図、図４は図３中ＩＶ−ＩＶ位置における断面図である。なお、図１および図２において前述したものと共通する部位には同じ符号を付して重複する説明を省略することとする。
【００２４】
図３および図４に示すように、本発明に係る第２実施形態のウインドガラスの支持構造１０Ｂでは、ガラスチャンネル４３のチャンネル４３ａは断面Ｕ字状をしており、上端部において絞り部４１を設けて一旦内側に絞った後、ウインドガラス１１の外側（図４において左側）では外側に広がるとともに上方に伸びて樋部４４を形成している。
なお、ガラスチャンネル４３では、車内側（図４において右側）には樋部４４を設けていない。また、樋部４４は、長手方向（図３において左右方向）について水平に対して傾斜するように設けるのが望ましい。
【００２５】
一方、ウインドガラス１１の内側（図４において右側）においては、絞り部４１から外向きに拡がっている開口端部４２が設けられている。
また、フィラー３２は、チャンネル４３ａの左右の絞り部４１、４１の上まで設けられており、ウインドガラス１１に密着している。
【００２６】
従って、ウインドガラス１１の外面１１ｂを伝って落ちた水は、樋部４４の一側に収容され、樋部４４の傾斜に沿って前端または後端から落下する。
なお、フィラー３２はウインドガラス１１およびチャンネル４３ａに密着しているので、水はフィラー３２の上端面３２ａに沿って流れることになる。
【００２７】
以上、前述したウインドガラスの支持構造１０Ｂによれば、ウインドガラス１１の下辺１１ａを支持しているガラスチャンネル４３に、長手方向に連続して樋部４４を設けたので、雨水や結露等の水分は樋部４４により所定位置に導かれる。特に、樋部４４を水平に対して傾斜するように設けることにより、水分は樋部４４の端部から滴下することになり、ガラスチャンネル４０に溜まることなく確実に排水することができる。
なお、樋部４４の長さを調整すること、または適切な位置に切欠を設けることによって、水分を滴下させる位置を調整することが可能である。
【００２８】
次に、本発明に係るウインドガラスの支持構造の第３実施形態を図面に基づいて詳細に説明する。図５は本発明のウインドガラスの支持構造を示す断面図である。なお、図１から図４において前述したものと共通する部位には同じ符号を付して重複する説明を省略することとする。
【００２９】
図５に示すように、本発明に係る第３実施形態のウインドガラスの支持構造１０Ｃでは、図１および図２で前述した第１実施形態のウインドガラスの支持構造１０Ａを変形したものである。
すなわち、ウインドガラス１１の外側面１１ｂ（図５において左側）のみならず内側面１１ｃ（図５において右側）においても、フィラー３３の上端部に樋部３１を設けた。
なお、この樋部３１は、長手方向（図５において紙面直交方向）について水平に対して傾斜するように設けるのが望ましい。
【００３０】
以上、前述したウインドガラスの支持構造１０Ｃによれば、ウインドガラス１１の外面１１ｂを伝って落ちた水は外側の樋部３１により受けられ、また、ウインドガラス１１の内面１１ｃを伝って落ちた結露等の水分は内側の樋部３１により受けられる。
これにより、雨水や結露等の水分は樋部３１、３１により所定位置に導かれる。特に、樋部３１、３１を水平に対して傾斜するように設けることにより、水分は樋部３１、３１の端部から滴下することになり、ガラスチャンネル４３に溜まることなく確実に排水することができる。
【００３１】
次に、本発明に係るウインドガラスの支持構造の第４実施形態を図面に基づいて詳細に説明する。図６は本発明のウインドガラスの支持構造を示す断面図である。なお、図１から図５において前述したものと共通する部位には同じ符号を付して重複する説明を省略することとする。
【００３２】
図６に示すように、本発明に係る第４実施形態のウインドガラスの支持構造１０Ｄでは、図３および図４で前述した第２実施形態のウインドガラスの支持構造１０Ｂを変形したものである。
すなわち、ウインドガラス１１の外側面１１ｂ（図６において左側）のみならず内側面１１ｃ（図６において右側）においても、ガラスチャンネル４５のチャンネル４５ａの上端部に樋部４４、４４を設けた。
なお、この樋部４４、４４は、長手方向（図３において左右方向）について水平に対して傾斜するように設けるのが望ましい。
【００３３】
以上、前述したウインドガラスの支持構造１０Ｄによれば、ウインドガラス１１の外面１１ｂを伝って落ちた水は外側の樋部４４により受けられ、また、ウインドガラス１１の内面１１ｃを伝って落ちた結露等の水分は内側の樋部４４により受けられる。
これにより、雨水や結露等の水分は樋部４４、４４により所定位置に導かれる。特に、樋部４４、４４を水平に対して傾斜するように設けることにより、水分は樋部４４、４４の端部から滴下することになり、ガラスチャンネル４５に溜まることなく確実に排水することができる。
【００３４】
なお、本発明のウインドガラスの支持構造１０Ａ、１０Ｂ、１０Ｃ、１０Ｄは、前述した各実施形態に限定されるものでなく、適宜な変形、改良等が可能である。
例えば、前述した各実施形態において樋部３１、４４の断面形状を図示したが、これは一例であり、樋部３１、４４の形状は図示したものに限るものではない。水分を漏れることなく所定の方向へ導くことができる形状であれば良い。
また、前述した各実施形態においては、樋部３１、４４をフィラー３１またはガラスチャンネル４３と一体的に設けたが、樋部を単体で作成しておき、この樋部を取付手段によりウインドガラス１１に取り付けるようにすることもできる。
【００３５】
【発明の効果】
以上、説明したように、本発明にかかるウインドガラスの支持構造によれば、請求項１に記載したように、ウインドガラスの下辺を支持しているガラスチャンネルに沿って、ウインドガラスの長手方向に連続して設けられている樋部が雨水や結露等の水分を導く。これにより、水分は樋部の端部から滴下することになり、ガラスチャンネルに溜まることなく確実に排水することができる。
さらに、樋部の適切な位置に切欠を設けることにより、水分の滴下する位置をコントロールできる。
【図面の簡単な説明】
【図１】本発明に係るウインドガラスの支持構造の第１実施形態を示す全体斜視図である。
【図２】図１におけるＩＩ−ＩＩ位置の断面図である。
【図３】本発明に係るウインドガラスの支持構造の第２実施形態を示す全体斜視図である。
【図４】図３におけるＩＶ−ＩＶ位置の断面図である。
【図５】本発明に係るウインドガラスの支持構造の第３実施形態を示す要部断面図である。
【図６】本発明に係るウインドガラスの支持構造の第４実施形態を示す要部断面図である。
【図７】従来のウインドガラスの支持構造の一例を示す全体斜視図である。
【符号の説明】
１０Ａ、１０Ｂ、１０Ｃ、１０Ｄ  ウインドガラスの支持構造
１１  ウインドガラス
１１ａ  下辺
３０、３２、３３  フィラー
４０、４３、４５  ガラスチャンネル
３１、４４  樋部
【図１】
2004324350.tif 000003
【図２】
2004324350.tif 000004
【図３】
2004324350.tif 000005
【図４】
2004324350.tif 000006
【図５】
2004324350.tif 000007
【図６】
2004324350.tif 000008
【図７】
2004324350.tif 000009